(57)【要約】【課題】簡単な操作により配管接続状態のままで流量を簡単に調整することができる定流量弁を提供する。【解決手段】外部調節式定流量弁１は、流入側の配管部材８０が取り付けられる弁本体１０を有し、弁本体１０内にニードル弁部材２０が摺動可能に挿入される。弁本体１０に螺合される弁シート部材４０は弁オリフィス部４２を有し、ニードル弁部材２０のニードル弁部２２が挿入される。第１ナット７０、第２ナット７２を緩めて弁シート部材４０と弁本体１０の間の距離Ｌ１を変更することにより、間隙Ｃ１を変更して流量を調整することができる。【選択図】図１
2015014299.tif 000002
【特許請求の範囲】
【請求項１】
流入側の配管部材（８０）と流出側の配管部材（８２）の間に設置されて両者間の流体流量を一定に保つべく外部より調節可能としてなる外部調節式定流量弁（１）であって、
前記両配管部材（８０，８２）の一方に連結される弁本体（１０）と、その他方に連結される弁シート部材（４０）とを含み、
前記弁本体（１０）と前記弁シート部材（４０）とは、軸方向に相対位置を調節可能に螺合連結されており、
前記弁本体（１０）には、該弁本体（１０）を流れる流体圧力に応じて位置変更可能なニードル弁部材（２０）と、該ニードル弁部材（２０）を流体流れに抗する方向に付勢する付勢ばね（３０）とが備わっており、
前記弁シート部材（４０）には、前記ニードル弁部材（２０）のニードル弁部（２２）が嵌合する弁オリフィス部（４２）が備わっており、
前記弁本体（１０）に対する前記弁シート部材（４０）の軸方向の相対位置を螺合調整するため外部より操作可能な操作部（４８）を備えてあり、
前記弁本体（１０）と前記弁シート部材（４０）の前記配管部材に対する回動のロック・解除を行う第１ナット（７０）と第２のナット（７２）とを備える
ことを特徴とする外部調節式定流量弁。
【請求項２】
前記操作部（４８）は、その外形形状が前記両ナット（７０，７２）のそれと同形状に形成してあることを特徴とする請求項１記載の外部調節式定流量弁。
【請求項３】
前記操作部（４８）は、前記両ナット（７０，７２）の間に位置することを特徴とする請求項２記載の外部調節式定流量弁。
【発明の詳細な説明】
【技術分野】
【０００１】
本発明は、配管を流れる流体の圧力差に拘わらず流体の通過流量をほぼ一定に保つとともに、流体の設定通過流量を外部から調節可能な外部調節式定流量弁に関する。
【背景技術】
【０００２】
従来において、配管を流れる流体の圧力差に拘わらず流体の通過流量をほぼ一定に保つ定流量弁が知られている。
下記の特許文献１は、配管が接続された状態で流体の通過流量の変更を外部から調整可能な外部調節式定流量弁を開示している。
【先行技術文献】
【特許文献】
【０００３】
【特許文献１】特開２０１２−２１１６７７号公報
【発明の概要】
【発明が解決しようとする課題】
【０００４】
上記の特許文献１に示される定流量弁にあっては、通過流量を調節する回転操作部は常時は円筒状の連結部材で覆われており、調節時に操作部を露出させる構成を備えている。
本発明の目的は、より簡単な操作で通過流量を調節することができる外部調節式定流量弁を提供することである。
【課題を解決するための手段】
【０００５】
上記目的を達成するために本発明の外部調節式定流量弁は、流入側の配管部材（８０）と流出側の配管部材（８２）の間に設置されて両者間の流体流量を一定に保つべく外部より調節可能としてなる外部調節式定流量弁（１）であって、前記両配管部材（８０，８２）の一方に連結される弁本体（１０）と、その他方に連結される弁シート部材（４０）とを含み、前記弁本体（１０）と前記弁シート部材（４０）とは、軸方向に相対位置を調節可能に螺合連結されており、前記弁本体（１０）には、該弁本体（１０）を流れる流体圧力に応じて位置変更可能なニードル弁部材（２０）と、該ニードル弁部材（２０）を流体流れに抗する方向に付勢する付勢ばね（３０）とが備わっており、前記弁シート部材（４０）には、前記ニードル弁部材（２０）のニードル弁部（２２）が嵌合する弁オリフィス部（４２）が備わっており、前記弁本体（１０）に対する前記弁シート部材（４０）の軸方向の相対位置を螺合調整するため外部より操作可能な操作部（４８）を備えてあり、前記弁本体（１０）と前記弁シート部材（４０）の前記配管部材に対する回動のロック・解除を行う第１ナット（７０）と第２のナット（７２）とを備えることを特徴とする。
【０００６】
そして、前記操作部（４８）はその外形形状が前記両ナット（７０，７２）のそれと同形状に形成してあり、また、前記操作部（４８）は前記両ナット（７０，７２）の間に位置することを特徴とする。
【発明の効果】
【０００７】
本発明の外部調節式定流量弁は、以上の構成を備えることにより、簡単な構造の定流量弁を得ることができる。
そして、配管接続状態のままで外部から容易に流量調節をすることができる。
流量調節に使用する工具は、流量を固定するナットまわしと同一のものが使用できるので、オペレータの負担も少なくて済む。
【図面の簡単な説明】
【０００８】
【図１】図１は本発明の外部調節式定流量弁の断面図である。
【図２】図２は本発明の外部調節式定流量弁の調節操作を説明するための断面図である。
【図３】図３は本発明の外部調節式定流量弁の操作部とナット部材の正面図である。
【発明を実施するための形態】
【０００９】
外部調節式定流量弁１は、弁本体１０内に挿入されるニードル弁部材２０を有し、ニードル弁部材２０はニードル弁部２２を備える。ニードル弁部材２０は止め輪２６により抜け止めされ、付勢ばね３０はニードル弁部材２０を止め輪２６側に向けて弾発押圧する。
【００１０】
弁本体１０には流入側の配管部材８０が取り付けられ、流体が矢印Ｆ方向に流入し、流路２４を通って弁本体１０の内部に送り込まれる。弁本体１０は内ねじ部２８を有し、弁シート部材４０が外ねじ部４６により螺合される。
【００１１】
弁シート部材４０は弁オリフィス部４２を有し、弁オリフィス部４２内にニードル弁部材２０のニードル弁部２２が挿入される。ニードル弁部２２と弁オリフィス部４２の間には間隙Ｃ１が形成される。弁本体１０と弁シート部材４０の間はシール部材の一例であるＯリング５０によりシールされる。
【００１２】
弁シート部材４０は図３に示すようなナット状の六角形の操作部４８を有し、操作部４８にスパナー等のナット回し工具を係合して回動することができる。
【００１３】
弁シート部材４０の操作部４８と弁本体１０の間には第１ナット７０が配置される。第１ナット７０は内ねじ部７１を弁シート部材４０の外ねじ部４６に螺合することで取り付けられる。
弁シート部材４０は操作部４８の反対側にも外ねじ部４６を有し、第２ナット７２が内ねじ部７３を外ねじ部４６に螺合することで配置される。
【００１４】
弁シート部材４０の弁オリフィス部４２の反対側の端部にはフランジ部４９が形成されており、継手６０がリング部６２を介して接続される。継手６０には流出側の配管部材８２が接続される。
【００１５】
第１ナット７０、第２ナット７２は、図３に示すように六角形の外側面を有し、スパナー等のナット回し工具により操作される。
【００１６】
そこで、図１に示すように、第１ナット７０を弁本体１０側に押圧し、第２ナット７２を継手６０側に押圧することで、弁シート部材４０は弁本体１０と継手６０に対して固定され、弁シート部材４０と第１ナット７０との間の距離Ｌ１は固定される。
【００１７】
所望の弁開度に相当する間隙Ｃ１が保持され、定量の流体が流れる。矢印Ｆ方向に流入する流体の圧力が上昇すると、ニードル弁部材２０は付勢ばね３０に抗して弁シート部材４０側へ移動する。この作用によりニードル弁部２２は弁オリフィス部４２の奥側へ移動し、流量を定量に維持する。
【００１８】
流量を調節する工程について、図２を参照しながら説明する。まず、スパナー等の工具を使用して第１ナット７０と第２ナット７２のロックを解除する方向に第１ナット７０と第２ナット７２を回動して間隙Ｇ１，Ｇ２をもたせる。
【００１９】
この状態で操作部４８にスパナー等の同一の工具を係合して弁シート部材４０を回動させて弁シート部材４０と弁本体１０の間の距離をＬ２に調節する。
【００２０】
この調節によりニードル弁部材２０のニードル弁部２２と弁シート部材４０の弁オリフィス部４２との間の間隙はＣ１からＣ２に変化する。間隙Ｃ２はＣ１より大きくなり流量は増加する。
【００２１】
流量が設定された後に第１ナット７０を弁本体１０にロックし、第２ナット７２を継手６０にロックして調節操作を完了する。
【００２２】
本発明の定流量弁は、以上のように配管接続状態のままで外部から流量を調整することができる。調整に使用する工具は調節部材を固定するロックナットを回動させるためのナットまわしを共用することができるので、短時間で調整を完了することができる。
また、ロックナットを２個使用することで、調整した流量を確実に維持することができる。
【符号の説明】
【００２３】
１  外部調節式定流量弁
１０  弁本体
２０  ニードル弁部材
２２  ニードル弁部
２４  流路
２６  止め輪
２８  内ねじ部
３０  付勢ばね
４０  弁シート部材
４２  弁オリフィス部
４４  流路
４６  外ねじ部
４８  操作部
４９  フランジ部
５０，５２  Ｏリング
６０  継手
６２  リング部
７０  第１ナット
７１，７３  内ねじ部
７２  第２ナット
８０  流入側の配管部材
８２  流出側の配管部材
【図３】
2015014299.tif 000003
【図１】
2015014299.tif 000004
【図２】
2015014299.tif 000005